【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
ユーザ操作に応じてデータを入力するデータ入力手段と、
このデータ入力手段により入力されたデータを外部の情報端末へ送信し、外部の情報端末から送信されたデータを受信する通信手段と、
前記データ入力手段により入力されたデータおよび前記通信手段により外部の情報端末から受信されたデータを表示部に表示させるデータ表示制御手段と、
このデータ表示制御手段により表示部に表示されたデータに応じてそのデータの入力元とデータの種類を示す属性情報を取得する属性情報取得手段と、
前記表示部に表示されたデータを前記属性情報取得手段により取得された属性情報に対応付けてファイルとして登録するファイル登録手段と、
このファイル登録手段により登録されたファイルの優先順位を当該ファイルに対応付けられた属性情報に基づき判定する優先順位判定手段と、
を備えたことを特徴とする情報管理装置。
【請求項２】
前記表示部に表示されたデータが複数ある場合であって、各データの入力元とそのデータの種類の組み合わせが複数ある場合、前記ファイル登録手段により登録されるファイルに対応付けられる属性情報は、前記各データの入力元とそのデータの種類を示す各属性情報を組み合わせた属性情報となる、
ことを特徴とする請求項１に記載の情報管理装置。
【請求項３】
前記優先順位判定手段は、
前記データの入力元とデータの種類の組み合わせからなる複数組の属性情報に対応付けて当該各属性情報に応じた優先順位を定義した優先順位判定テーブルを有し、この優先順位判定テーブルに従って、前記ファイル登録手段により登録されたファイルの優先順位を当該ファイルに対応付けられた属性情報に応じて判定する、
ことを特徴とする請求項１または請求項２に記載の情報管理装置。
【請求項４】
前記属性情報取得手段は、
前記データの入力元とデータの種類の組み合わせからなる複数組の属性情報を定義したデータ属性テーブルを有し、このデータ属性テーブルに従って、前記データ表示制御手段により表示部に表示されたデータの入力元とデータの種類を示す属性情報を取得する、
ことを特徴とする請求項１ないし請求項３の何れか１項に記載の情報管理装置。
【請求項５】
前記ファイル登録手段により登録されたファイルを対象に、前記優先順位判定手段により判定された当該ファイルの優先順位に応じて振り分けたファイル一覧を生成して前記表示部に表示させるファイル一覧表示制御手段を備えた、
ことを特徴とする請求項１ないし請求項４の何れか１項に記載の情報管理装置。
【請求項６】
前記ファイル登録手段により登録されたファイルを、前記優先順位判定手段により判定された当該ファイルの優先順位に従い削除するファイル削除制御手段を備えた、ことを特徴とする請求項１ないし請求項５の何れか１項に記載の情報管理装置。
【請求項７】
前記ファイル登録手段は、その登録対象のファイルに含まれるデータが複数ある場合、当該複数のデータ毎に前記属性情報取得手段により取得された属性情報を対応付けて登録する、
ことを特徴とする請求項１ないし請求項６の何れか１項に記載の情報管理装置。
【請求項８】
前記ファイル登録手段により登録されたファイルを読み出しそのファイル内のデータを前記表示部に表示させるファイル表示制御手段と、
このファイル表示制御手段により表示されたファイルに含まれるデータが複数ある場合、当該各データをそのデータに対応付けられた属性情報に応じたデータの単位で消去して表示させる消去表示制御手段と、
を備えたことを特徴とする請求項７に記載の情報管理装置。
【請求項９】
前記データの入力元を示す属性情報は、本人、プレゼンタ、他者を識別する属性情報であり、前記データの種類を示す属性情報は、手書き軌跡、画像、文書を識別する属性情報である、
ことを特徴とする請求項１ないし請求項８の何れか１項に記載の情報管理装置。
【請求項１０】
表示部とメモリを備えた情報端末のコンピュータを制御するための情報管理プログラムであって、
前記コンピュータを、
ユーザ操作に応じてデータを入力するデータ入力手段、
このデータ入力手段により入力されたデータを外部の情報端末へ送信し、外部の情報端末から送信されたデータを受信する通信手段、
前記データ入力手段により入力されたデータおよび前記通信手段により外部の情報端末から受信されたデータを前記表示部に表示させるデータ表示制御手段、
このデータ表示制御手段により前記表示部に表示されたデータに応じてそのデータの入力元とデータの種類を示す属性情報を取得する属性情報取得手段、
前記表示部に表示されたデータを前記属性情報取得手段により取得された属性情報に対応付けてファイルとして前記メモリに登録するファイル登録手段、
このファイル登録手段により登録されたファイルの優先順位を当該ファイルに対応付けられた属性情報に基づき判定する優先順位判定手段、
として機能させるためのコンピュータ読み込み可能な情報管理プログラム。
【請求項１１】
通信ネットワークを介して複数の情報端末と通信可能な情報管理サーバであって、
前記複数の情報端末にて入力されたデータを受信し、この受信されたデータに応じてそのデータの入力元とデータの種類を示す属性情報を取得する属性情報取得手段と、
前記受信されたデータを前記属性情報取得手段により取得された属性情報に対応付けてファイルとして登録するファイル登録手段と、
このファイル登録手段により登録されたファイルの優先順位を当該ファイルに対応付けられた属性情報に基づき判定する優先順位判定手段と、
を備えたことを特徴とする情報管理サーバ。
【手続補正２】
【補正対象書類名】明細書
【補正対象項目名】０００８
【補正方法】変更
【補正の内容】
【０００８】
本発明に係る情報管理装置は、ユーザ操作に応じてデータを入力するデータ入力手段と、このデータ入力手段により入力されたデータを外部の情報端末へ送信し、外部の情報端末から送信されたデータを受信する通信手段と、前記データ入力手段により入力されたデータおよび前記通信手段により外部の情報端末から受信されたデータを表示部に表示させるデータ表示制御手段と、このデータ表示制御手段により表示部に表示されたデータに応じてそのデータの入力元とデータの種類を示す属性情報を取得する属性情報取得手段と、前記表示部に表示されたデータを前記属性情報取得手段により取得された属性情報に対応付けてファイルとして登録するファイル登録手段と、このファイル登録手段により登録されたファイルの優先順位を当該ファイルに対応付けられた属性情報に基づき判定する優先順位判定手段と、を備えたことを特徴としている。
【手続補正３】
【補正対象書類名】明細書
【補正対象項目名】０００９
【補正方法】変更
【補正の内容】
【０００９】
本発明に係る情報管理プログラムは、表示部とメモリを備えた情報端末のコンピュータを制御するための情報管理プログラムであって、前記コンピュータを、ユーザ操作に応じてデータを入力するデータ入力手段、このデータ入力手段により入力されたデータを外部の情報端末へ送信し、外部の情報端末から送信されたデータを受信する通信手段、前記データ入力手段により入力されたデータおよび前記通信手段により外部の情報端末から受信されたデータを前記表示部に表示させるデータ表示制御手段、このデータ表示制御手段により前記表示部に表示されたデータに応じてそのデータの入力元とデータの種類を示す属性情報を取得する属性情報取得手段、前記表示部に表示されたデータを前記属性情報取得手段により取得された属性情報に対応付けてファイルとして前記メモリに登録するファイル登録手段、このファイル登録手段により登録されたファイルの優先順位を当該ファイルに対応付けられた属性情報に基づき判定する優先順位判定手段、として機能させることを特徴としている。
【手続補正４】
【補正対象書類名】明細書
【補正対象項目名】００１０
【補正方法】変更
【補正の内容】
【００１０】
本発明に係る情報管理サーバは、通信ネットワークを介して複数の情報端末と通信可能な情報管理サーバであって、前記複数の情報端末にて入力されたデータを受信し、この受信されたデータに応じてそのデータの入力元とデータの種類を示す属性情報を取得する属性情報取得手段と、前記受信されたデータを前記属性情報取得手段により取得された属性情報に対応付けてファイルとして登録するファイル登録手段と、このファイル登録手段により登録されたファイルの優先順位を当該ファイルに対応付けられた属性情報に基づき判定する優先順位判定手段と、を備えたことを特徴としている。